(57)【特許請求の範囲】
【請求項１】
積層された付箋を収容する収容部が形成されたクリップ本体と、前記クリップ本体を覆うカバー部材によって形成される付箋ケースを備えた付箋ケース付き筆記用具において、
前記クリップ本体は、前記筆記用具の表面との間に隙間を形成した状態で当該クリップ本体の端部近傍に設けられた取付ピンを介して前記筆記用具の一端側に固定され、前記取付ピンを支点とする弾性変形によるバネ性が付与されており、
前記クリップ本体は、前記取付ピン側の底板の厚みを当該取付ピンとは反対側よりも厚く形成したことを特徴とする付箋ケース付き筆記用具。
【請求項２】
請求項１に記載の付箋ケースにおいて、
前記クリップ本体は可撓可能に形成されていることを特徴とする付箋ケース付き筆記用具。
【請求項３】
積層された付箋を収容する収容部が形成されたクリップ本体と、前記クリップ本体を覆うカバー部材によって形成される付箋ケースを備えた付箋ケース付き筆記用具において、
前記クリップ本体は、前記筆記用具の表面との間に隙間を形成した状態で当該クリップ本体の端部近傍に設けられた取付ピンを介して前記筆記用具の一端側に固定され、前記取付ピンを支点とする弾性変形によるバネ性が付与されており、
前記カバー部材は、
天板と、
前記天板の周囲を囲繞するようにして側板が一体に形成され、
前記クリップ本体の側壁の上縁と当接する鍔部が設けられていることを特徴とする付箋ケース付き筆記用具。
【請求項４】
請求項３に記載の付箋ケースにおいて、
前記鍔部の下側には、前記クリップ本体の前記側壁の内側に位置して前記クリップ本体が撓んだ場合でも前記クリップ本体と当該カバー部材との間に隙間が生じないようにするスカート部を備えていることを特徴とする付箋ケース付き筆記用具。
【請求項５】
請求項１から４のいずれか１項に記載の付箋ケース付き筆記用具において、
前記クリップ本体の長手方向に伸びる側壁の上縁は、側面視において非直線状に形成されていることを特徴とする付箋ケース付き筆記用具。
【請求項６】
請求項１から５のいずれか１項に記載の付箋ケース付き筆記用具において、
前記クリップ本体及び前記カバー部材には、互いに着脱自在に係合する係合手段及び被係合手段のいずれか一方が一又は複数設けられていることを特徴とする付箋ケース付き筆記用具。
【発明の詳細な説明】
【技術分野】
【０００１】
本発明は、付箋ケース付き筆記用具に関し、更に詳しくは、クリップを付箋ケースとした付箋ケース付き筆記用具に関する。
【背景技術】
【０００２】
裏面の一部に弱い接着剤が塗布された付箋は、容易に剥がすことができるので本やノートに目印としていわゆる「しおり」として貼付し、或いは伝言メモなどを机やパソコンに貼付するなど各種の場面で利用されている。また、色、形、大きさも様々であり、使用場面に応じた付箋が提供されている。
【０００３】
例えば、特許文献１に示すものは付箋を収納するディスペンサが筆記具に設けられたものである。具体的には、シートディスペンサ（付箋ケース）が本体に対して取り外し自在のキャップに配置されたものである。特許文献１のシートディスペンサは、キャップに一体に形成された基部と、基部をスライド可能に覆うカバーによって構成され、本体にキャップを装着した状態において、キャップの表面（遮蔽部分）とそれと連続する筆記具の本体を構成する第１の円筒の表面との間に僅かの隙間（ギャップ）を形成することにより、シートディスペンサを筆記具のクリップとしている。
【先行技術文献】
【特許文献】
【０００４】
【特許文献１】特許第５５８４１２５号公報
【発明の概要】
【発明が解決しようとする課題】
【０００５】
しかしながら、特許文献１の筆記具におけるシートディスペンサは、その一部が基部と一体に形成されていることからバネ性が低い。クリップにバネ性がないと被挟持物に対する挟持力が弱くクリップとしての機能を十分に発揮することができない。また、シートディスペンサ自体の可撓性も殆どなく、本体との間の隙間（ギャップ）の幅が限られていることからクリップ機能によって挟持すべき被挟持物の厚みが制限され、本や手帳の厚みによってはクリップを挟持させることができない場合もある。また、シートディスペンサがキャップに設けられているので、被挟持物に挟持させる際にキャップが外れてしまうおそれがある。
【０００６】
そこで、本発明が解決しようとする課題は、クリップ自体に付箋ケースの機能を付加しながらも充分なバネ性と可撓性を付与することにより、クリップとしての機能を損うことなく、しかも付箋ケースとしても機能する付箋ケース付き筆記用具を提供することを目的とする。
【課題を解決するための手段】
【０００７】
上記課題を解決するため請求項１に記載の発明は、積層された付箋を収容する収容部が形成されたクリップ本体と、前記クリップ本体を覆うカバー部材によって形成される付箋ケースを備えた付箋ケース付き筆記用具において、前記クリップ本体は、前記筆記用具の表面との間に隙間を形成した状態で当該クリップ本体の端部近傍に設けられた取付ピンを介して前記筆記用具の一端側に固定され、前記取付ピンを支点とする弾性変形によるバネ性が付与されており、前記クリップ本体は、前記取付ピン側の底板の厚みを当該取付ピンとは反対側よりも厚く形成したことを特徴とする。
【０００８】
上記課題を解決するため請求項２に記載の発明は、請求項１に記載の付箋ケースにおいて、前記クリップ本体は可撓可能に形成されていることを特徴とする。
【００１０】
上記課題を解決するため請求項３に記載の発明は、積層された付箋を収容する収容部が形成されたクリップ本体と、前記クリップ本体を覆うカバー部材によって形成される付箋ケースを備えた付箋ケース付き筆記用具において、前記クリップ本体は、前記筆記用具の表面との間に隙間を形成した状態で当該クリップ本体の端部近傍に設けられた取付ピンを介して前記筆記用具の一端側に固定され、前記取付ピンを支点とする弾性変形によるバネ性が付与されており、前記カバー部材は、天板と、前記天板の周囲を囲繞するようにして側板が一体に形成され、前記クリップ本体の側壁の上縁と当接する鍔部が設けられていることを特徴とする。
【００１１】
上記課題を解決するため請求項４に記載の発明は、請求項３に記載の付箋ケースにおいて、前記鍔部には、前記クリップ本体の前記側壁の内側に位置して前記クリップ本体が撓んだ場合でも前記クリップ本体と当該カバー部材との間に隙間が生じないようにするスカート部を備えていることを特徴とする。
【００１２】
上記課題を解決するため請求項５記載の発明は、請求項１から４のいずれか１項に記載の付箋ケース付き筆記用具において、前記クリップ本体の長手方向に伸びる側壁の上縁は、側面視において非直線状に形成されていることを特徴とする。
【００１３】
上記課題を解決するため請求項６に記載の発明は、請求項１から５のいずれか１項に記載の付箋ケース付き筆記用具において、前記クリップ本体及び前記カバー部材には、互いに着脱自在に係合する係合手段及び被係合手段のいずれか一方が一又は複数設けられていることを特徴とする。
【発明の効果】
【００１４】
本発明に係る付箋ケース付き筆記用具によれば、クリップ本体とカバー部材によって付箋ケースを形成し、取付ピンを介してクリップ本体を筆記用具の一端側に固定することで付箋ケースに取付ピンを支点とする弾性変形によるバネ性を付与することとしたので、クリップ本来の機能を損なうことなく付箋ケースを設けることができるという効果がある。また、クリップ本体を可撓可能に形成したのでクリップ本体と筆記用具の表面との隙間を容易に調整することができ、被挟持物を確実に挟持することができるという効果がある。
【００１５】
また、本発明に係る付箋ケース付き筆記用具によれば、クリップ本体の底板を取付ピン側を取付ピン側とは反対側をよりも相対的に厚く形成したのでクリップ本体が撓みやすくなるという効果がある。
【００１６】
また、本発明に係る付箋ケース付き筆記用具によれば、クリップ本体が撓んだ場合でもスカート部によってクリップ本体とカバー部材との間に隙間が生じることを防止することができるという効果がある。
【００１７】
また、本発明に係る付箋ケース付き筆記用具によれば、クリップ本体の長手方向に伸びる側壁の上縁を非直線状とすることでクリップ本体が撓みやすくなると共にカバー部材の取り外しを容易にすることができるという効果がある。
【図面の簡単な説明】
【００１８】
【図１】（ａ）は本発明に係る付箋ケース付き筆記用具の好ましい一実施形態の側面図、（ｂ）はその側面図である。
【図２】（ａ）はクリップ本体とカバー部材の側面図、（ｂ）はその図1に示す付箋ケース付き筆記用具平面図である。
【図３】カバー部材の背面図である。
【図４】（ａ）はクリップ本体及びカバー部材の他の構成を示す側面図、（ｂ）はそのクリップ本体の平面視とカバー部材の底面視を示す図、（ｃ）はその斜視図である。
【図５】（ａ）はクリップ本体及びカバー部材の側面図、（ｂ）はクリップ本体の平面視とカバー部材の底面視を示す図、（ｃ）はその斜視図である。
【発明を実施するための形態】
【００１９】
本発明に係る付箋ケース付き筆記用具について図面を参照しつつ以下詳細に説明する。図１（ａ）は本発明に係る付箋ケース付き筆記用具の好ましい一実施形態の側面図、（ｂ）はその平面図である。図示された付箋ケース付き筆記用具１は、いわゆるノック式の２色ボールペンであり、筆記用具本体２の内部に例えば、黒色と赤色のように色の異なる２本のペン軸３，３が内蔵されており、いずれかのノック部４，４をノックすることによって所望の色のボールペンを使用することができるようになっている。そして、この筆記用具本体２のペン先側とは反対の端部側にクリップとしての付箋ケース５が取り付けられている。
【００２０】
付箋ケース５が取り付けられる部分の筆記用具本体２の側面は平面状に形成されている。また、図示された筆記用具本体２では付箋ケース５が取り付けられた面と反対側の筆記用具本体２の面も平面状に形成されており、付箋ケース５をどちらの平面側にも取り付けることができるようになっている。また、付箋ケース５は一方側の平面のみではなく両方の平面に取り付けることもできる。もちろんこれに限らず、付箋ケース５を取り付けない側の面は円筒形状に形成してもよく、筆記用具本体２を円筒形状とすると共に、付箋ケース５の底板１１を筆記用具本体２に合わせて円弧状にすることもできる。尚、筆記用具本体２の構造は通常の２色ボールペンと同様でありその構成は公知であるため筆記用具本体２の構造等の説明は省略する。また、いうまでもないが、本実施形態では筆記用具本体２を２色ボールペンとしているが、あくまでも例示であり、単色や３色以上のボールペンでもよく、また、ボールペンに限らず、シャープペンシル、万年筆、蛍光マーカー、サインペン、鉛筆等であってもよい。
【００２１】
［付箋ケースの構成］
図２に示すように、付箋ケース５は、クリップ本体１０と、カバー部材２０を備えて形成され、クリップ本体１０は、その内部に付箋を収容するための収容部を備えており、カバー部材２０を被せるようにして取り付けることで付箋ケース５が形成される。クリップ本体１０及びカバー部材２０は好ましくは合成樹脂材料によって形成されるが、材料はこれに限定されるものではない。尚、クリップ本体１０及びカバー部材２０を透明とすれば内部の確認に好適である。
【００２２】
［クリップ本体］
クリップ本体１０は、平板状の底板１１の縁を囲繞するようにして側壁１２が底板１１と一体に形成されている。また、クリップ本体１０の一方側の端部には底板１１の面に対して直交する方向に突出するようにして取付ピン１３が設けられている。取付ピン１３は略三角柱形状とされると共に、これに対応する筆記用具本体２のペン先側とは反対側の端部近傍に設けられた図示しない嵌合孔も同様に略三角形状とされており、取付ピン１３を筆記用具本体２に設けられた図示しない嵌合孔に嵌着することにより、クリップ本体１０が筆記用具本体２にしっかりと固定されている。この場合、取付ピン１３をはめ殺しとして取り外しができないようにしてもよい。取付ピン１３をこのように形成したのは筆記用具本体２に設けられた図示しない嵌合孔を中心に取付ピン１３が回転することを防止するためである。また、このような取付ピン１３の形状により、クリップ本体１０は取付ピン１３を支点としてバネ性を有することになる。そして、クリップ本体１０を筆記用具本体２に取り付けた状態において、クリップ本体１０と筆記用具本体２の表面との間には隙間７が形成されている。尚、クリップ本体１０の底板１１には筆記用具本体２の表面と接する凸部２９が設けられている。
【００２３】
また、クリップ本体１０には、取付ピン１３とは反対方向に突設するようにして略円柱状の係合ピン１４が配置されている。この係合ピン１４が後述するカバー部材の係合部２４と係合することによりクリップ本体１０にカバー部材２０が着脱自在に取り付けられる。また、クリップ本体１０の係合ピン１４が設けられた側とは反対側の端部底面に係合孔１５が穿設されており、後述するカバー部材２０に設けられた係合突起２５と係合するようになっている。
【００２４】
クリップ本体１０の長手方向に伸びる側壁１２の頂部である上縁１２ａは、側面視において非直線状に形成されている。本実施形態では側壁１２の上縁１２ａは取付ピン１３側が低く、取付ピン１３側とは反対側が高くなるように形成されており、上縁１２ａはその途中でなだらかに傾斜している。クリップ本体１０の長手方向に伸びる側壁１２の上縁１２ａをこのように非直線形状に形成することによりクリップ本体１０が適度に撓みやすくしている。また、カバー部材２０の側面の面積を広く形成することができるので使用者がカバー部材２０を把持しやすくなる。一方、クリップ本体１０は、取付ピン１３側の底板１１の厚みを取付ピン１３とは反対側（後述する係合孔１５側）よりも厚く形成されており、これによってもクリップ本体１０に適度な可撓性を付与している。
【００２５】
［カバー部材］
カバー部材２０は、クリップ本体１０の収容部内に積層された付箋５０を収容した状態で上部に取り付けることで付箋５０を一枚ずつ引き出し可能に閉塞する。カバー部材２０は、平板状の天板２１の周囲を側板２２が囲繞するようにして一体に形成されている。天板２１の中央付近にはクリップ本体１０内に収容されている積層された付箋の最上面５１を引き出すための開口部２６が設けられている。また、カバー部材２０の一端側にはクリップ本体１０に形成され係合ピン１４と係合する係合部２４が設けられている。係合部２４は、上部が開口された円筒を直径方向に半割にした形状とされ、係合部２４に挿入されたクリップ本体１０の係合ピン１４と係合してこれを弾性的に保持し、これによりクリップ本体１０にカバー部材２０が着脱自在に取り付けられる。さらに、係合部２４が設けられた側とは反対側の側板２２にはクリップ本体１０に設けられた係合孔１５と係合する係合突起２５が設けられており、係合突起２５が係合孔１５に係合するようになっている。尚、係合突起２５を係合孔１５に係合させた状態で係合突起２５の先端が筆記用具本体２の表面に当接するように形成することもできる。この場合、係合突起２５を凸部２９の代わりとしてもよい。
【００２６】
カバー部材２０にはクリップ本体１０の側壁１２の非直線状の上縁１２ａと当接する鍔部２１ａが形成されている。鍔部２１ａは、図３に示すように、天板２１を側板２２よりも僅かに外側に張り出すようにすることによって形成されている。そして、側板２２は、カバー部材２０をクリップ本体１０に取り付けた状態において、クリップ本体１０の側壁１２の上縁１２ａよりも下側に至る長さに形成されており、クリップ本体１０が撓んだ場合でもクリップ本体１０とカバー部材２０との間に隙間が生じることがないようになっている。これにより、カバー部材２０をクリップ本体１０に取り付けた場合、カバー部材２０の鍔部２１ａがクリップ本体１０の上縁部１２ａに当接してしっかりと支持され、クリップ本体１０が取付ピン１３を支点として撓んだ場合であっても取付ピン１３から離れた撓みの度合いの大きい部分は鍔部１２ａに続く側板２２部分によって隙間が形成されることが防止される。また、カバー部材２０の両側面には使用者によるカバー部材２０の着脱を容易にするために掛止片２７，２７が設けられている。
【００２７】
また、鍔部２１ａの他の構成としては、図４に示すものがある。図４（ａ）はクリップ本体及びカバー部材の他の構成を示す側面図、（ｂ）はそのクリップ本体の平面視とカバー部材の底面視を示す図、（ｃ）はその斜視図である。図２，３に示すカバー部材２０の鍔部２１ａは天板２１の縁部に沿って直線状に形成されたものであるが、図４に示す鍔部２１ａは、クリップ本体１０の側壁１２の上縁１２ａの形状に合わせてなだらかな曲線状に形成したものである。この場合、クリップ本体１０の側壁１２内に位置する部分のカバー部材２０の側板２２を上縁１２ａの形状にあわせて僅かに薄くすることで鍔部２１ａを形成することができる。そして、鍔部２１ａの下側の薄板部分をスカート部２２ａとすることでクリップ本体１０が撓んだ場合でもクリップ本体１０とカバー部材２０との間には隙間が生じない。
【００２８】
ここで、クリップ本体１０の長手方向に伸びる側壁１２の上縁１２ａを側面視において非直線状に形成した他の実施形態を図５に示す。図５（ａ）はクリップ本体及びカバー部材の側面図、（ｂ）はクリップ本体の平面視とカバー部材の底面視を示す図、（ｃ）はその斜視図である。尚、上述した実施形態と同じ構成部分については同一の符号を用い説明は省略する。この実施形態では、クリップ本体１０の側壁１２の上縁１２ａは、中央部付近が低く、両端側が高くなるように形成されている。そして、カバー部材２０の側板２２にはクリップ本体１０の側壁１２の上縁１２ａと当接する鍔部２１ａが形成されている。そして、カバー部材２０をクリップ本体１０に取り付けた状態において、クリップ本体１０の側壁１２ａの内側に位置してクリップ本体１０が撓んだ場合でもカバー部材２０の側板２２のうち薄く形成されたスカート部２２ａがクリップ本体１０の側壁１２ａの内側に位置しているのでクリップ本体１０が撓んだ場合でもクリップ本体１０とカバー部材２０との間には隙間が生じない。図４，５に示す実施形態のようにクリップ本体１０の長手方向に伸びる側壁１２の上縁１２ａを側面視において非直線状に形成するのはクリップ本体１０を撓ませ易くするためである。また、カバー部材２０の図５（ａ）における左側端部には掛止片２７が突出するようにして形成されており、これに対応するクリップ本体１０の先端部分は掛止片２７に掛けた指によってカバー部材２０を取り外し易いように、指の動きに合わせるように湾曲させた湾曲凹部１９が設けられている。
【００２９】
尚、本実施形態における係合手段及び被係合手段は、図５（ａ）におけるカバー部材２０の左側端部にクリップ本体１０に設けられた係合凹部１８とこれに係合する突起部２８である。突起部２８は僅かに前方へ突出させた状態で形成することもできる。図２に示す実施形態では係合ピン１４と係合部２４により形成し、図５に示す実施形態では係合凹部１８と係合突起２０によって形成したが、クリップ本体１０とカバー部材２０のいずれの側に係合手段又は被係合手段を設けるかは適宜に決定されるものであり、どちらに係合手段又は被係合手段を設けてもよい。また、クリップ本体１０の側壁１２の上縁１２ａの側面視における形状もこれらの実施形態に限るものではなく、取付ピン１３側が高く、取付ピン１３側とは反対側が低くなるように形成してもよいし、中央部付近が高く、両端側が低くなるように形成してもよい。この場合、の上縁１２ａと当接するカバー部材２０の鍔部２１ａの形状もこれに合わせたものとすることができる。
【００３０】
このように、筆記用具１のクリップに付箋ケース５を一体化して筆記用具本体２のペン先側とは反対側の端部に配置することにより付箋ケース付き筆記用具１が形成される。そして、付箋ケース５の中には積層された付箋を収容し、開口部２６から最上部の付箋５１を引き出して利用することができる。もちろん、付箋ケース５はクリップとして利用することができる。
【００３１】
以上のように、本発明の好ましい実施形態について詳述したが、本発明は上述した特定の実施形態に限定されるものではなく、特許請求の範囲に記載された本発明の要旨の範囲内において、種々の変形・変更が可能であることはいうまでもない。
【符号の説明】
【００３２】
１      付箋ケース付き筆記用具
２      筆記用具本体
３      ペン軸
４      ノック部
５      付箋ケース
７      隙間
１０      クリップ本体
１１      底板
１２      側壁
１３      取付ピン
１４      係合ピン
１５      係合孔
１８      係合凹部
１９      湾曲凹部
２０      カバー部材
２１      天板
２１ａ      鍔部
２２      側板
２２ａ      スカート部
２４      係合部
２５      係合突起
２６      開口部
２７      掛止片
２８      突起部
２９      凸部
５０      付箋
【図１】
0006775961.tif 000002
【図２】
0006775961.tif 000003
【図３】
0006775961.tif 000004
【図４】
0006775961.tif 000005
【図５】
0006775961.tif 000006